(57)【特許請求の範囲】
【請求項１】
基板上の表示領域を構成する複数の画素部を有する表示部と、
一のフレームにおいて画像信号に基づいて前記画素部において表示されるべき輝度が第１輝度であるとき、前記一のフレームを分割した一のサブフレームにおける前記画素部の輝度を前記第１輝度に比べて高い高輝度に設定し、且つ前記一のフレームを分割した他のサブフレームにおける前記画素部の輝度を前記第１輝度に比べて低い低輝度に設定する画像信号を生成する画像信号処理回路と、
を備え、
前記画像信号処理回路は、前記第１輝度、及び前記一のフレームに相前後する他のフレームで表示すべき第２輝度の夫々を記憶する記憶手段と、
該記憶手段に記憶された第１輝度及び第２輝度を比較する比較手段と、
前記第１輝度及び前記第２輝度の差が所定の閾値以上であるか否かを判定する判定手段とを備えるとともに、
前記画像信号処理回路は、前記複数の画素部のうち前記第１輝度及び前記第２輝度の差が所定の閾値以上である所定の画素部について前記高輝度及び前記低輝度を設定することによって、前記画像信号を生成すること
を特徴とする電気光学装置。
【請求項２】
前記画像信号処理回路に供給される画像信号は、ＲＧＢのカラー画像信号であり、
前記比較手段は、前記カラー画像信号に含まれるＲ、Ｇ及びＢの夫々の色成分信号毎に設けられていること
を特徴とする請求項１に記載の電気光学装置。
【請求項３】
前記画像信号処理回路は、前記Ｒ、Ｇ及びＢの色成分信号の少なくとも一つの色成分信号に関する前記第１輝度及び前記第２輝度の差が所定の閾値以上である場合に、Ｒ、Ｇ及びＢの全てについて前記所定の画素部に前記高輝度及び前記低輝度を設定することを特徴とする請求項２に記載の電気光学装置。
【請求項４】
前記Ｒ、Ｇ及びＢの色成分信号のうち前記第１輝度及び前記第２輝度の差が所定の閾値以上である色成分信号についてのみ前記所定の画素部に前記高輝度及び前記低輝度を設定すること
を特徴とする請求項２に記載の電気光学装置。
【請求項５】
前記画像信号処理回路は、前記高輝度及び前記低輝度の夫々に対応した画像信号をガンマテーブルを参照して補正するとともに、それによって得られる補正済みの画像信号を前記表示部に出力する信号補正手段を備えたこと
を特徴とする請求項１から４の何れか一項に記載の電気光学装置。
【請求項６】
請求項１から５の何れか一項に記載の電気光学装置を具備してなることを特徴とする電子機器。
【発明の詳細な説明】
【技術分野】
【０００１】
本発明は、例えば液晶装置等の電気光学装置、該電気光学装置に応用される画像処理回
路、並びに該電気光学装置を備えてなる、例えば液晶プロジェクタ等の電子機器の技術分
野に関する。
【背景技術】
【０００２】
ホールドモードで表示を行う液晶装置等の電気光学装置では、ＣＲＴ（Cathode Ray Tu
be）の如きインパルスモードで表示を行う表示装置と比べて、動画表示時において人間の
視覚上の残像が顕著に見られ、表示画像内における移動物体像のエッジがぼけて見える動
画ボケが生じることが多い。特許文献１は、このような動画ボケを低減するための技術の
一例を開示している。
【０００３】
【特許文献１】特開２００３−５０５６９号公報
【発明の開示】
【発明が解決しようとする課題】
【０００４】
しかしながら、特許文献１に開示された技術によれば、表示画面全体が暗くなってしま
う問題点があり、動画ボケが低減される反面、画像を表示する各画素の輝度を犠牲にせざ
るを得ないという技術的問題点が生じる。
【０００５】
よって、本発明は上記問題点に鑑みてなされたものであり、画像全体の明るさを低下さ
せることなく、動画ぼけを低減できる電気光学装置、及びこのような電気光学装置に適用
可能な画像処理回路、並びに電子機器を提供することを課題とする。
【課題を解決するための手段】
【０００６】
本発明に係る電気光学装置は上記課題を解決するために、基板上の表示領域を構成する
複数の画素部を有する表示部と、一のフレームにおいて画像信号に基づいて前記画素部に
おいて表示されるべき輝度が第１輝度であるとき、前記一のフレームを分割した一のサブ
フレームにおける前記画素部の輝度を前記第１輝度に比べて高い高輝度に設定し、且つ前
記一のフレームを分割した他のサブフレームにおける前記画素部の輝度を前記第１輝度に
比べて低い低輝度に設定する画像信号を生成する画像信号処理回路とを備える。
【０００７】
本発明に係る電気光学装置によれば、表示部は、例えば電気光学物質の一例である液晶
を一対の基板間に挟持してなる液晶パネルである。このような表示部は、薄膜トランジス
タ（ＴＦＴ）等の素子及び画素電極等を夫々含んでなる複数の画素部を備えており、これ
ら複数の画素部が平面的に配列されていることによって、表示領域が構成されている。
【０００８】
本発明に係る電気光学装置によれば、例えば動画像を表示するための一連のフレームを
構成する複数のフレームの夫々に対応したフレーム画像が６０Ｈｚのフレーム周期で表示
される場合、一のフレームを分割する一のサブフレーム及び他のサブフレームの夫々にお
いて、各サブフレームに対応したサブフレーム画像が表示される。このようなサブフレー
ム画像の表示は、所謂倍速表示によって可能となる。
【０００９】
ここで、表示領域に各フレーム画像をそのまま表示した場合には、例えば表示領域に表
示された動画像における移動物体像のエッジ、即ち複数の画素部のうち当該エッジに対応
する位置に配置されている画素部の輝度が、相前後するフレーム間で大きく変化し、動画
ボケが生じてしまう。このような動画ボケを低減するために、画素部の相前後するフレー
ムの一方のフレームにおいて表示されるべきフレーム画像として黒画像を表示した場合、
画素部の輝度を犠牲にすることとなり、一連のフレームの夫々のフレーム画像によって構
成される動画像の明るさが相対的に低下してしまう。
【００１０】
そこで、本発明に係る電気光学装置によれば、画像信号処理回路は、一のフレームにお
いて画像信号に基づいて前記画素部において表示されるべき輝度が第１輝度であるとき、
前記一のフレームを分割した一のサブフレームにおける前記画素部の輝度を前記第１輝度
に比べて高い高輝度に設定し、且つ前記一のフレームを分割した他のサブフレームにおけ
る前記画素部の輝度を前記第１輝度に比べて低い低輝度に設定する画像信号を生成する。
言い換えれば、従来、動画ボケを低減するためにフレーム単位で黒画像を表示させていた
表示方法とは異なり、サブフレーム単位で第１輝度より低い低輝度の画像を表示すること
によって、表示領域に表示される画像の明るさが低下しないようにする。ここで、「高輝
度」及び「低輝度」とは、本来一のフレームにおいて表示されるべきフレーム画像に応じ
て設定された画素部の輝度である第１輝度を基準として高い、或いは低い輝度である。し
たがって、例えば一のサブフレーム及び他のサブフレームの夫々の期間が一のフレームの
期間の１／２に設定されている場合、一のサブフレームにおける画素部の輝度を高輝度に
設定し、他のサブフレームにおける画素部の輝度を低輝度に設定することによって、一の
フレームの期間全体では画素部の輝度が人間の目からみて平均化され、フレーム画像の明
るさが維持される。
【００１１】
尚、画像信号処理回路は、フレーム周期に対応して供給された画像信号及び同期信号等
の各種信号に基づいて各サブフレームで表示するサブフレーム画像に対応した画像信号を
生成し、液晶パネル等の表示部に供給する。
【００１２】
これにより、表示領域に表示可能な最も暗い画像や黒色画像のみならず、例えばダーク
グレーやグレーなど、残像を低減し得る限りにおいて第１輝度より低い低輝度に応じて表
示される暗い画像を表示できる。したがって、画像信号処理回路によれば、複数の画素部
のうち他のサブフレームにおいて上述した移動物体像のエッジの位置に対応する画素部、
又は表示領域においてライン状に配置された画素部、或いは複数の画素部全体が低輝度に
設定され、暗い画像が表示されることになる。このような暗い画像が他のサブフレームに
おいて画素部によって表示されることによって、動画ボケを格段に低減できる。より具体
的には、画素部の輝度変化が生じる領域のうち人間の目で見て補間される領域の幅、即ち
動画ボケの直接の原因となる領域に相当する幅を狭めることが可能である。
【００１３】
したがって、本発明に係る電気光学装置によれば、ホールドモードで表示動作を行った
場合であっても、従来の表示方法では解決困難であった動画像の明るさの維持、及び動画
ボケの低減の双方が可能となり、高品質で動画像を表示できる。
【００１４】
本発明に係る電気光学装置の一の態様では、前記画像信号処理回路は、前記第１輝度、
及び前記一のフレームに相前後する他のフレームで表示すべき第２輝度の夫々を記憶する
記憶手段と、該記憶手段に記憶された第１輝度及び第２輝度を比較する比較手段と、前記
第１輝度及び前記第２輝度の差が所定の閾値以上であるか否かを判定する判定手段とを備
え、前記画像信号処理回路は、前記複数の画素部のうち前記第１輝度及び前記第２輝度の
差が所定の閾値以上である所定の画素部について前記高輝度及び前記低輝度を設定するこ
とによって、前記画像信号を生成してもよい。
【００１５】
この態様によれば、記憶手段は、表示領域を構成する複数の画素部のうち所定の領域を
構成する画素部、又は複数の画素部の夫々、或いは一のフレーム及び他のフレームの双方
において輝度が取得されるように予め設定された画素部について第１輝度及び第２輝度の
夫々を記憶する。ここで、第１輝度及び第２輝度の夫々は、フレーム単位で画像を表示し
た場合に画素部が一のフレーム及び他のフレームで表示すべき輝度であり、これら第１輝
度及び第２輝度に対応して供給された画像信号、即ち画像信号に応じて液晶等の電気光学
物質に印加される電圧に対応したデータが、フレームメモリ等を含む記憶手段に記憶され
る。
【００１６】
判定手段は、比較手段によって比較された第１輝度及び第２輝度の差が所定の閾値以上
であるか否かを判定する。ここで、「所定の閾値」とは、例えば動画ボケが視認されるか
否かを判定するための基準値であり、例えば液晶装置では、各画素部が備える画素電極及
び対向電極間に介在する液晶に印加される電圧の最大値の１０％程度を一例として挙げる
ことができる。勿論、このような閾値は、電気光学物質の一例である液晶の種類、即ち印
加電圧に対する液晶の配向状態の相対的な関係に基づいて設定可能である。加えて、動画
ボケをどの程度低減するかという動画ボケの許容範囲も考慮された上で便宜設定可能であ
る。
【００１７】
画像信号処理回路は、複数の画素部のうち第１輝度及び第２輝度の差が所定の閾値以上
である所定の画素部について高輝度及び低輝度を設定することによって、画像信号を生成
する。複数の画素部のうち第１輝度及び第２輝度の差が所定の閾値以上である画素部は、
一のフレーム及び他のフレームの夫々で表示されるフレーム画像内の移動物体像のエッジ
を表示する画素部であり、このような画素部について高輝度及び低輝度の夫々を設定する
ことによって、フレーム画像の輝度を維持しつつ、動画ボケを低減できる。
【００１８】
本発明に係る電気光学装置の他の態様では、前記画像信号処理回路に供給される画像信
号は、ＲＧＢのカラー画像信号であり、前記比較手段は、前記カラー画像信号に含まれる
Ｒ、Ｇ及びＢの夫々の色成分信号毎に設けられていてもよい。
【００１９】
この態様によれば、Ｒ（赤色）、Ｇ（緑色）及びＢ（青色）のうち特定の色光の輝度の
変化に応じて生じる動画ボケを低減できる。比較手段は、一のフレーム及び他のフレーム
の夫々における各色成分信号に応じた画素部の輝度（即ち、第１輝度及び第２輝度）を比
較する。したがって、この態様によれば、各色光に対応した画素部の輝度がフレーム毎に
変化した場合でも、当該変化に応じて動画ボケが生じることを低減できる。
【００２０】
この態様では、前記画像信号処理回路は、前記Ｒ、Ｇ及びＢの色成分信号の少なくとも
一つの色成分信号に関する前記第１輝度及び前記第２輝度の差が所定の閾値以上である場
合に、Ｒ、Ｇ及びＢの全てについて前記所定の画素部に前記高輝度及び前記低輝度を設定
してもよい。
【００２１】
この態様によれば、動画ボケを低減できると共に、第１輝度及び第２輝度の差が所定の
閾値以上である色光について所定の画素部に高輝度及び低輝度を設定することによって画
像表示領域に表示されるフレーム画像に色ずれが生じることを低減できる。
【００２２】
本発明に係る電気光学装置の他の態様では、前記Ｒ、Ｇ及びＢの色成分信号のうち前記
第１輝度及び前記第２輝度の差が所定の閾値以上である色成分信号についてのみ前記所定
の画素部に前記高輝度及び前記低輝度を設定してもよい。
【００２３】
この態様によれば、一のフレーム及び他のフレームに亘って表示されるべき各フレーム
画像に応じて生じる動画ボケを大なり小なり低減できる。
【００２４】
本発明に係る電気光学装置の他の態様では、前記Ｒ、Ｇ及びＢの色成分信号の少なくとも一つの色成分信号に関する前記第１輝度及び前記第２輝度の差が所定の閾値以上である場合に、前記画像信号処理回路は、前記所定の画素部について前記所定の閾値以上である色成分信号を除く他の色成分信号について前記高輝度及び前記低輝度を設定してもよい。
【００２５】
この態様によれば、所定の閾値以上である色成分信号を除く他の色成分信号に対応した色光の輝度の変化に応じて生じる動画ボケを低減できる。
【００２６】
本発明に係る電気光学装置の他の態様では、前記画像信号処理回路は、前記フレーム画
像、及び前記一のフレームに相前後する他のフレームで表示すべきフレーム画像の夫々の
画像信号を記憶する記憶手段と、前記一のフレーム及び前記他のフレームを含む一連のフ
レームによって前記表示領域に表示される移動物体像の動きを前記画像信号に基づいて検
出する動き検出手段を備え、前記画像信号処理回路は、前記複数の画素部のうち前記動き
検出手段によって前記移動物体像の動きが検出された画素部について前記画像信号を生成
してもよい。
【００２７】
この態様によれば、動き検出手段が、例えば既存の動き検出方法を用いてフレーム画像
内の移動物体像の動きを検出できる。画像信号処理回路は、動き検出手段によって検出さ
れた検出結果に基づいて移動物体像の動きが検出された画素部（即ち、当該移動物体像の
エッジに対応する画素部）について画像信号生成する。これにより、上述した比較手段を
用いた場合と同様に動画ボケを低減できる。
【００２８】
本発明に係る電気光学装置の他の態様では、前記画像信号処理回路は、前記高輝度及び
前記低輝度の夫々に対応した画像信号を補正することによって得られる補正済みの画像信
号を前記表示部に出力する信号補正手段を備えていてもよい。
【００２９】
この態様によれば、信号補正手段は、例えばガンマテーブルを参照して高輝度及び低輝
度の夫々に対応した画像信号を補正できる。これにより、画像信号処理回路によって画像
信号を補正しておく場合に比べて、画像信号のビット数を低減できる。
【００３０】
本発明に係る画像処理回路は上記課題を解決するために、基板上に配列された複数の画
素部を含む表示部の表示領域に、一のフレームにおいて画像信号に基づいて前記画素部に
おいて表示されるべき輝度が第１輝度であるとき、前記一のフレームを分割した一のサブ
フレームにおける前記画素部の輝度を前記第１輝度に比べて高い高輝度に設定し、且つ前
記一のフレームを分割した他のサブフレームにおける前記画素部の輝度を前記第１輝度に
比べて低い低輝度に設定する画像信号を生成する画像信号処理回路と、前記一のサブフレ
ーム及び前記他のサブフレームの夫々に対応する画像信号に応じて前記表示部を駆動する
駆動手段とを備える。
【００３１】
本発明に係る画像処理回路によれば、駆動手段は、例えば、高輝度及び低輝度の夫々に
対応した画像信号に応じて表示部を駆動する走査線駆動回路及びデータ線駆動回路を含む
。本発明に係る画像処理回路によれば、上述した電気光学装置と同様に動画ボケを低減で
き、且つフレーム画像の明るさを維持することが可能である。
【００３２】
本発明に係る電子機器は上記課題を解決するために、上述した本発明の電気光学装置を
具備してなる。
【００３３】
本発明に係る電子機器によれば、上述した本発明に係る電気光学装置を具備してなるの
で、高品位の表示が可能な、投射型表示装置、携帯電話、電子手帳、ワードプロセッサ、
ビューファインダ型又はモニタ直視型のビデオテープレコーダ、ワークステーション、テ
レビ電話、ＰＯＳ端末、タッチパネルなどの各種電子機器を実現できる。また、本発明に
係る電子機器として、例えば電子ペーパなどの電気泳動装置等も実現することが可能であ
る。
【００３４】
本発明のこのような作用及び他の利得は次に説明する実施形態から明らかにされる。
【発明を実施するための最良の形態】
【００３５】
以下、本発明の実施形態を図面に基づいて説明する。以下の実施形態は、本発明に係る
電気光学装置を、ＴＦＴアクティブマトリクス駆動形式の液晶装置に適用したものである
。
【００３６】
（電気光学装置の構成及び動作）
先ず、図１及び図２を参照して本実施形態に係る液晶装置１の全体に係る構成及び動作
について説明する。ここに図１は、液晶装置１のブロック図であり、図２は、そのうち液
晶装置１の表示領域たる画像表示領域を構成するマトリクス状に形成された複数の画素部
における各種素子、配線等の等価回路である。
【００３７】
図１において、液晶装置１は、表示部１０ｃ及び画像信号処理回路１７０を備えて構成
されている。画像信号処理回路１７０は、記憶回路１７１、判定回路１７２、比較回路１
７３及び補正回路１７４を備えて構成されており、映像ソース１８０から画像信号Ｓｉ及
び同期信号Ｓｓが入力される。表示部１０ｃは、液晶パネル１００Ｐ、走査線駆動回路１
０４、及びデータ線駆動回路１０１を備えて構成されている。
【００３８】
尚、走査線駆動回路１０４及びデータ線駆動回路１０１が、本発明に係る画像処理回路
における「駆動手段」の一例を構成しており、画像信号処理回路１７０、走査線駆動回路
１０４及びデータ線駆動回路１０１が、本発明に係る画像処理回路の一例を構成する。
【００３９】
図２において、液晶パネル１００ｐは、画像表示領域１０ａにマトリクス状に平面配列
された複数の画素部１０ｐを備えている。液晶パネル１００ｐ、複数の画素部に夫々、画
素電極９ａと当該画素電極９ａをスイッチング制御するためのＴＦＴ３０とが形成されて
いる。画像信号が供給されるデータ線６ａが、当該ＴＦＴ３０のソースに電気的に接続さ
れている。データ線６ａに書き込む画像信号Ｓ１、Ｓ２、・・・、Ｓｎは、この順に線順
次に供給しても構わないし、相隣接する複数のデータ線６ａ同士に対して、グループ毎に
供給するようにしてもよい。
【００４０】
また、ＴＦＴ３０のゲートにゲート電極が電気的に接続されており、所定のタイミング
で、走査線３ａ及びゲート電極にパルス的に走査信号Ｇ１、Ｇ２、・・・、Ｇｍを、この
順に線順次で印加するように構成されている。画素電極９ａは、ＴＦＴ３０のドレインに
電気的に接続されており、スイッチング素子であるＴＦＴ３０を一定期間だけそのスイッ
チを閉じることにより、データ線６ａから供給される画像信号Ｓ１、Ｓ２、・・・、Ｓｎ
を所定のタイミングで書き込む。
【００４１】
画素電極９ａを介して電気光学物質の一例としての液晶に書き込まれた所定レベルの画
像信号Ｓ１、Ｓ２、・・・、Ｓｎは、対向基板に形成された対向電極との間で一定期間保
持される。液晶は、印加される電圧レベルにより分子集合の配向や秩序が変化することに
より、光を変調し、階調表示を可能とする。ノーマリーホワイトモードであれば、各画素
の単位で印加された電圧に応じて入射光に対する透過率が減少し、ノーマリーブラックモ
ードであれば、各画素の単位で印加された電圧に応じて入射光に対する透過率が増加され
、全体として液晶装置１からは画像信号に応じたコントラストをもつ光が出射される。
【００４２】
ここで保持された画像信号がリークするのを防ぐために、画素電極９ａと対向電極との
間に形成される液晶容量と並列に蓄積容量７０が付加されている。蓄積容量７０は、走査
線３ａに並んで設けられ、固定電位側容量電極を含むとともに定電位に固定された容量電
極３００を含んでいる。
【００４３】
再び図１において、走査線駆動回路１０４は、上述の如く走査信号Ｇ１、Ｇ２、・・・
、Ｇｍを所定タイミングで走査線３ａに供給し（図２参照）、データ線駆動回路１０１は
、上述の如く画像信号Ｓ１、Ｓ２、・・・、Ｓｎを所定タイミングでデータ線６ａに供給
する（図２参照）。尚、データ線駆動回路１０１は例えば、画像信号線上に供給される画
像信号Ｓ１、Ｓ２、・・・、Ｓｎをサンプリングするサンプリング回路と該サンプリング
回路に対してサンプリングパルスを供給するシフトレジスタ等を含んで構成されている。
【００４４】
画像信号処理回路１７０は、例えばＤＶＤビデオプレーヤ、ビデオレコーダ、映像チュ
ーナ等の映像ソース１８０から入力される画像信号Ｓｉ及び同期信号Ｓｓに基づいて、走
査線駆動回路１０４に対して、走査線駆動の基準となる、クロック信号（Ｙクロック）や
反転クロック信号、走査開始の基準となるスタートパルス信号（Ｙスタートパルス）、電
源信号等の各種信号Ｓｃを供給することで、走査線駆動回路１０４を駆動する。更に、デ
ータ線駆動回路１０１に対して、データ線駆動の基準となる、クロック信号（Ｘクロック
）や反転クロック信号、走査開始の基準となるスタートパルス信号（Ｘスタートパルス）
、例えばパラレル−シリアル展開されたデータ線６ａに供給される画像信号Ｓ１、Ｓ２、
・・・Ｓｊ、・・・、Ｓｎ（図２参照）、電源信号等の各種信号を供給することでデータ
線駆動回路１０１を駆動する。
【００４５】
次に、図１乃至図６を参照しながら、液晶装置１の動作を詳細に説明する。図３は、液
晶装置１によって表示される動画像を構成するフレーム画像及びサブフレーム画像の関係
を示した概念図である。図４は、画像表示領域１０ａの一部を構成する画素部における輝
度を模式的に示した図であり、図５は、図４に対応する比較例を示した模式図である。図
６は、画素部における輝度の組み合わせを模式的に示した図である。
【００４６】
図１及び図３に示すように、画像信号処理回路１７０は、表示部１０ｃが、各フレーム
で表示されるべきフレーム画像Ａ、Ｂ、・・・の夫々を２つのサブフレーム画像Ａ１及び
Ａ２、Ｂ１及びＢ２、・・・に分けて、各サブフレームの輝度の積分が本来の１フレーム
で表示すべき画像の輝度となるようにしている。本実施形態では、表示部１０ｃは、画像
信号処理回路１７０から供給された画像信号Ｓｉ及び各種信号Ｓｃに基づいて、６０Ｈｚ
のフレーム周期で表示されるフレーム画像を倍速表示し、１／２フレームで一つのサブフ
レーム画像を表示する。即ち、画像信号処理回路１７０は、表示部１０ｃが、一つのフレ
ームを時分割する一のサブフレーム及び他のサブフレームの夫々にサブフレーム画像を表
示可能なように画像信号Ｓｉ及び各種信号Ｓｃを表示部１０ｃに供給する。
【００４７】
より具体的には、図３に示すように、第ｎフレームで画像表示領域１０ａに表示すべき
フレーム画像Ａは、第ｎフレームのサブフレームＳＦｎ１及びＳＦｎ２の夫々においてサ
ブフレーム画像Ａ１及びＡ２として表示される。サブフレーム画像Ａ２が表示される際に
は、画素部１０ｐの輝度は、フレーム画像Ａを表示する際の画素部１０ｐの輝度より低い
低輝度（即ち、フレーム画像Ａを表示する場合の画素部の輝度に対して相対的に暗い表示
）とされる。他方、サブフレーム画像Ａ１が表示される際には、画素部１０ｐの輝度は、
フレーム画像Ａを表示する際の画素部１０ｐの輝度より高い高輝度（即ち、フレーム画像
Ａを表示する場合の画素部の輝度に対して相対的に明るい表示）とされる。このように、
一のフレームにおいて表示されるべきフレーム画像に比べて相対的に暗い画像がサブフレ
ーム画像として表示されることによって、後に図４及び図５を参照しながら説明するよう
に動画ボケを低減できる。加えて、サブフレーム画像Ａ１及びＡ２の夫々における画素部
の輝度が、高輝度及び低輝度の夫々に設定されているため、サブフレーム画像Ａ１及びＡ
２が表示される第ｎフレームにおける画素部１０ｐの輝度が平均化され、画像表示領域１
０ａ全体の明るさを一のフレーム画像Ａを表示する場合と同様の明るさに維持できる。
【００４８】
ここで、図４及び図５を参照しながら、液晶装置１における動画ボケの低減及びフレー
ム画像の明るさの維持が可能となる理由について詳細に説明する。図４及び図５では、画
像表示領域１０ａに表示された動画像において、黒く表示された移動物体像Ｍが図中左側
から右側に移動する場合を例に挙げる。尚、図４及び図５において画素部における黒表示
を斜め線のハッチングで示している。
【００４９】
図５に示すように、第ｎフレーム、第（ｎ＋１）フレーム、第（ｎ＋２）フレーム、・
・・の夫々のフレーム期間の夫々にフレーム画像を表示した場合、移動物体像Ｍのエッジ
Ｍｅは、フレーム毎に順次黒表示される画素部１０ｐによって規定される階段状の部分で
規定される。ここで、黒表示された画素部１０ｐによって規定される階段状の部分である
エッジＭｅを人間の目で見た場合、黒表示がなされた画素部１０ｐの角部を人間の目が補
間する。その結果、人間の目で見てエッジＭｅは、階段状の部分の幅Ｗ１だけぼけて見え
る。この幅Ｗ１が動画ボケの直接の原因となる。
【００５０】
そこで、本実施形態に係る液晶装置１は、図３において説明したように、各フレームを
分割するサブフレームで輝度が異なる表示を行う。より具体的には、１フレーム内で元の
画像信号の輝度よりも高輝度の高輝度表示及び低輝度の低輝度表示を行う。
【００５１】
図４に示すように、画像信号処理回路１７０によって、１／２フレームを一つのサブフ
レームとする２つのサブフレームとして一のフレームを分割し、２つのサブフレームのう
ち一のサブフレーム期間において画素部１０ｐに高輝度表示を行い、他のサブフレーム期
間において画素部１０ｐに低輝度表示を行う。より具体的には、サブフレームＳＦｎ２、
ＳＦ（ｎ＋１）２及びＳＦ（ｎ＋２）２に図中斜線で模式的に示したインパルス的な表示
が行われる。したがって、画像信号処理回路１７０は、複数の画素部１０ｐのうち移動物
体像ＭのエッジＭｅの位置に対応する画素部、又は画像表示領域１０ａにおいてライン状
に配置された画素部１０ａ、或いは複数の画素部１０ａ全体が低輝度に設定され、従来技
術のような黒画像挿入と同様の効果が表示上得られる。
【００５２】
このような表示を行うことによって、エッジＭｅの幅Ｗ２は、サブフレーム単位の表示
を行わない場合のエッジＭｅの幅Ｗ１に比べて相対的に小さくなる。したがって、幅Ｗ１
から幅Ｗ２にエッジＭｅのボケが小さくなった分、動画ボケを低減できる。
【００５３】
また、図４において、高輝度表示がなされる画素部１０ｐの輝度は、フレーム画像Ａ及
びＢの夫々をサブフレーム画像Ａ１及びＡ２、並びにＢ１及びＢ２の夫々に分けて表示し
ない場合に比べて輝度が高められている。他方、低輝度表示がなされるサブフレーム画像
Ａ２及びＢ２を表示する画素部１０ｐの輝度は、高輝度表示がなされる画素部１０ｐの輝
度に比べて相対的に低い低輝度である。したがって、フレーム期間の夫々における各画素
部１０ｐの輝度の平均、即ち人間の目で知覚する輝度は、元のフレーム画像を人間の目で
知覚する場合の輝度に維持される。これにより、画像表示領域１０ａに表示された動画像
の明るさはフレームを分割しない場合と同様の明るさに維持されることになる。
【００５４】
このように本実施形態に係る液晶装置１によれば、黒画像表示回路１７０は、一のフレ
ームにおいて表示されるべきフレーム画像Ａ、Ｂ、・・・が所定の明るさ、フレーム単位
で画像表示領域１０ａにフレーム画像を表示した場合における各フレーム画像の明るさで
画像表示領域１０ａに画像が表示されるように、サブフレーム単位で画像を表示させ、且
つ一のフレームを分割する一のサブフレーム及び他のサブフレームの夫々において画素部
１０ｐの輝度を高輝度及び低輝度の夫々に設定する。これにより、本来の画像信号の輝度
に比べて、表示領域に表示される画像の明るさが低下しないようにすることが可能である
。加えて、液晶装置１によれば、黒画像を挿入したときと同様に動画ボケを格段に低減で
きる。より具体的には、画素部の輝度変化が生じる領域のうち人間の目で補間される領域
の幅、即ち動画ボケの直接の原因となる領域に相当する幅を狭めることが可能であるため
、この幅が狭められた分、動画ボケを低減できる。
【００５５】
したがって、本発明に係る電気光学装置によれば、ホールドモードで表示動作を行った
場合であっても、従来の表示方法では解決困難であった動画像の明るさの維持、及び動画
ボケの低減の双方が可能となり、高品質で動画像を表示できる。
【００５６】
また、次に説明するように、図１に示した液晶装置１に含まれる各回路の処理動作によ
って、画像表示領域１０ａを構成する複数の画素部１０ｐのうちエッジＭｅを規定する画
素部１０ｐのみについて低輝度表示を行うこともできる。この場合について、図１乃至図
６を参照しながら詳細に説明する。
【００５７】
図１及び図３において、記憶回路１７１は、第１フレームメモリ１７１ａ及び第２フレ
ームメモリ１７１ｂを備えて構成されている。第２フレームメモリ１７１ｂは、第ｎフレ
ームで表示されるべきフレーム画像Ａの画像データを映像信号ソース１８０から供給され
た画像信号Ｓｉ及び同期信号Ｓｓから取得し、一旦記憶する。次に、第１フレームメモリ
１７１ａは、第（ｎ＋１）フレームで表示されるべきフレーム画像Ｂの画像データを取得
し、記憶する。次に、比較回路１７３は、第１フレームメモリ１７１ａ及び第２フレーム
メモリ１７１ｂの夫々から第ｎフレームの画像データ及び第（ｎ＋１）フレームの画像デ
ータを読み出する。比較回路１７３は、画素部１０ｐの第ｎフレーム及び第（ｎ＋１）フ
レームの夫々における輝度（即ち、本発明の「第１輝度」及び「第２輝度」の夫々の一例
である輝度）を比較する。
【００５８】
比較回路１７３による比較の結果、判定回路１７２において、画素部１０ｐの第ｎフレ
ーム及び第（ｎ＋１）フレームの夫々における輝度の差が、例えば１０％以上である場合
に黒画像表示回路１７０は、第ｎフレーム及び第（ｎ＋１）フレームの夫々のフレームの
画像データに含まれる画像信号Ｓｉに所定係数を積算して得られた画像信号Ｓｊ１及びＳ
ｊ２を各サブフレームＳＦｎ１及びＳＦｎ２の画像信号としてデータ線駆動回路１０１に
供給する。
【００５９】
より具体的には、サブフレーム画像に分けて各フレーム画像を表示した場合でも、これ
らサブフレーム画像で構成されるフレーム画像が、各フレームにおいて単一のフレーム画
像を表示した場合におけるフレーム画像の明るさと同様となるように所定係数が設定され
ている。例えば、本実施形態では、画像信号Ｓｊ１は、画像信号Ｓｊに所定係数として１
．３を積算して得られ、画像信号Ｓｊ２は、画像信号Ｓｊに所定係数として０．７を積算
して得られる。したがって、画素部１０ｐにおいて、２つのサブフレーム画像の明るさを
平均化した明るさは単一のフレーム画像を表示した場合の明るさと同等になる。第（ｎ＋
１）フレームにおいて２つのサブフレーム画像を表示する画素部についても同様の処理が
施された画像信号によってサブフレーム画像を表示させることによって、第（ｎ＋１）フ
レームにおいてもフレーム画像の明るさが維持される。
【００６０】
特に、図４に示すように、ライン状に黒表示を表示することなく、エッジＭｅを規定す
る画素部１０ｐのみに低輝度表示を行う目的で、複数の画素部１０ｐのうち第ｎフレーム
及び第（ｎ＋１）フレームの夫々における輝度の差が所定の閾値以上である画素部につい
て高輝度及び低輝度を設定することによって、一のフレームを分割する２つのサブフレー
ムの一方において所定の画素部に低輝度表示を行う。所定の画素部は、一のフレーム及び
他のフレームの夫々で表示されるフレーム画像内の移動物体像ＭのエッジＭｅを表示する
画素部であり、所定の画素部について高輝度及び低輝度の夫々を設定することによって、
人間の目で知覚するエッジＭｅの幅を単一のフレーム画像を連続して表示する場合に比べ
て小さくでき、動画像の明るさを維持しつつ、動画ボケを低減できる。加えて、記憶回路
１７１に記憶させておくデータ量も低減でき、画像信号に対する信号処理を高速で行うこ
とが可能である。
【００６１】
尚、所定係数は、１０％等の所定の閾値以上の差がある２つの輝度のうち低い輝度を１
として設定されている。また、１より大きな所定係数を画像信号に積算することによって
、フレーム画像内における最高輝度を超える輝度が算出された場合には、１より大きな所
定係数が積算されることによって得られる画像信号は、最高輝度で画素部が表示を行うよ
うに制限される。また、所定係数として、０及び２の夫々を採用することによって、輝度
の差がはっきりした高輝度表示及び低輝度表示を行う画素部によって２つのサブフレーム
画像の夫々を表示でき、エッジＭｅのボケを低減でき、且つエッジＭｅに対応する画素部
のみに低輝度表示を行うことが可能である。ここで、所定の閾値は、例えば動画ボケが視
認されるか否かを判定するための基準値であり、例えば液晶装置では、上述したように、
各画素部が備える画素電極及び対向電極間に介在する液晶に印加される電圧の最大値の１
０％程度を一例として挙げることができる。勿論、このような閾値は、電気光学物質の一
例である液晶の種類、即ち印加電圧に対する液晶の配向状態の相対的な関係に基づいて設
定可能である。加えて、所定の閾値は、動画ボケをどの程度低減するかという点も考慮さ
れた上で設定される。
【００６２】
補正回路１７４は、高輝度及び低輝度の夫々に対応した画像信号を補正することによっ
て得られる補正済みの画像信号Ｓｉ１及びＳｉ２を表示部１０ｃに出力する。補正回路１
７４によれば、例えばガンマテーブルを参照して高輝度及び低輝度の夫々に対応した画像
信号を補正できる。これにより、表示すべき輝度に応じて信号処理された画像信号を予め
生成した後に低輝度を表示するための信号等を含む画像信号を対応するサブフレームに合
わせて生成する場合に比べて、画像信号のビット数を低減できる。
【００６３】
次に、図６を参照しながら、各サブフレームにおいて画素部に設定される輝度の組み合
わせを説明する。図６では、画素部１０ｐが第ｎフレームにおいて白表示を行い、第（ｎ
＋１）フレームにおいて低輝度表示を行う場合を例に挙げる。即ち、第ｎフレーム及び第
（ｎ＋１）フレームの夫々で高輝度表示及び低輝度表示を行う画素部１０ｐは、移動物体
像ＭのエッジＭｅを表示する画素部である。
【００６４】
図６（ａ）に示すように、第ｎフレームにおいて高輝度表示を行う画素部１０ｐは、サ
ブフレームＳＦｎ１において、第ｎフレームで表示すべき高輝度表示より高い輝度で表示
を行い、続くＳＦｎ２において低い輝度で低輝度表示を行う。第ｎフレームにおいて高表
示を行うべきであった画素部１０ｐは、第（ｎ＋１）フレームで低輝度表示を行う。ここ
で、画素部１０ｐは、第（ｎ＋１）フレームを分割する２つのサブフレームＳＦ（ｎ＋１
）１及びＳＦ（ｎ＋１）２において、低輝度表示を行う。画素部１０ｐがサブフレームＳ
Ｆｎ２に低輝度表示を行っていることによって、画素部１０ｐで視認される動画ぼけを低
減できる。
【００６５】
図６（ｂ）に示すように、第ｎフレームにおいて高輝度表示を行う画素部１０ｐは、サ
ブフレームＳＦｎ１及びＳＦｎ２において、第ｎフレームで表示すべき高輝度表示と同等
の輝度で表示を行う。第ｎフレームにおいて高輝度表示を行う画素部１０ｐは、第（ｎ＋
１）フレームで表示すべき低輝度表示より輝度が低い暗い表示をサブフレームＳＦ（ｎ＋
１）１において表示する。画素部１０ｐは、サブフレームＳＦ（ｎ＋１）１において第（
ｎ＋１）フレームで表示すべき表示と同等の輝度の表示を行う。画素部１０ｐは、サブフ
レームＳＦ（ｎ＋１）１において、より暗い表示を行うことによって、ホールドモード表
示を行う場合であっても、インパルスモード表示と同様に動画ボケが低減された動画像を
表示できる。
【００６６】
図６（ｃ）において、第ｎフレームにおいて高輝度表示を行う画素部１０ｐは、サブフ
レームＳＦｎ１において、第ｎフレームで表示すべき表示より高い輝度で表示を行い、続
くＳＦｎ２において低い輝度で表示を行う。画素部１０ｐは、第（ｎ＋１）フレームで表
示すべき表示より輝度が低い暗い表示をサブフレームＳＦ（ｎ＋１）１において表示する
。画素部１０ｐは、サブフレームＳＦ（ｎ＋１）２において第（ｎ＋１）フレームで表示
すべき表示と同等の輝度の表示を行う。画素部１０ｐは、サブフレームＳＦｎ１において
、第ｎフレームで表示すべき表示より高い輝度で表示を行い、且つサブフレームＳＦ（ｎ
＋１）１において、より暗い表示を行うことによって、ホールドモード表示を行う場合で
あっても、インパルスモード表示と同様に動画ボケが低減された動画像を表示できる。
【００６７】
図６（ａ）乃至（ｃ）に示すように、サブフレームにおける表示の組み合わせは複数設
定可能である。
【００６８】
また、液晶装置１は、カラー表示可能な表示装置であり、映像ソース１８０から画像信
号処理回路１７０に供給される画像信号は、ＲＧＢのカラー画像信号である。記憶回路１
７１が備える各フレームメモリ１７１ａ及び１７１ｂに記憶された各フレームのフレーム
画像の色成分信号は、Ｒ（赤色）、Ｇ（緑色）及びＢ（青色）の各色光の輝度に応じた画
像データを含んでいる。比較回路１７３は、カラー画像信号に含まれるＲ、Ｇ及びＢの夫
々の色成分信号毎に設けられている。記憶回路１７１は、例えば、第ｎフレーム及び第（
ｎ＋１）フレームの夫々のフレームにおいて、画像信号Ｓｉに含まれる各色成分信号の夫
々を記憶している。比較回路１７３は、記憶回路１７１に記憶された色成分信号に応じて
画素部１０ｐで表示されるべき色毎に輝度を比較する。判定回路１７２は、比較回路１７
３の比較結果に基づいて、画素部１０ｐに、Ｒ、Ｇ及びＢの夫々の色のうち色のうち輝度
の差が所定の閾値以上である色成分について第ｎフレーム及び第（ｎ＋１）フレームの少
なくとも一方において暗い表示（即ち、本来表示されるべきであった輝度より低い輝度）
を行わせる。このような暗い表示は、第（ｎ＋１）フレーム及び第（ｎ＋２）フレーム間
でも行われる。即ち、画像信号処理回路１７０は、連続して表示されるフレーム画像の相
互で各色光を比較して画素部１０ｐに暗い表示をさせるか否かを決定している。
【００６９】
したがって、液晶装置１がカラー表示可能な表示装置であっても、液晶装置１によれば
、Ｒ（赤色）、Ｇ（緑色）及びＢ（青色）のうち特定の色光の輝度の変化に応じて生じる
動画ボケを低減できる。
【００７０】
また、画像信号処理回路１７０は、Ｒ、Ｇ及びＢの色成分信号の少なくとも一つの色成
分信号に関して、相互に連続して表示されるフレーム画像（例えば、第ｎフレーム及び第
（ｎ＋１）フレームの夫々で表示されるフレーム画像）の夫々における画素部１０ｐに輝
度が所定の閾値以上である場合に、Ｒ、Ｇ及びＢの全てについて閾値以上の輝度がある画
素部に対して、第ｎフレーム及び第（ｎ＋１）フレームの少なくとも一方のフレームのサ
ブフレームに暗い画像を表示してもよい。このように、輝度の差が所定の閾値以上である
色光に関して、画素部に暗い表示（即ち、高輝度及び低輝度を設定すること）することに
よって、動画ボケを低減できると共にフレーム画像に色ずれが生じることを低減できる。
【００７１】
尚、画像信号処理回路１７０は、Ｒ、Ｇ及びＢ夫々の色成分信号のうち相連続するフレ
ームの夫々における輝度の差が所定の閾値以上である画素部についてのみ、当該差がある
色成分信号についてのみ暗い表示を表示させてもよい。このように特定の色成分にのみ暗
い表示を行っても大なり小なり動画ボケを低減できる。
【００７２】
画像信号処理回路１７０は、Ｒ、Ｇ及びＢの色成分信号の少なくとも一つの色成分信号
に関して輝度の差が所定の閾値以上である場合、輝度について所定の閾値以上の差がある
画素部について閾値以上の輝度の差がある色成分信号を除く他の色成分信号について画素
部に暗い表示を行ってもよい。このようにすれば、他の色成分信号に対応した色光の輝度
の変化に応じて生じる動画ボケを低減できる。
【００７３】
（変形例）
次に、図７を参照しながら本実施形態に係る液晶装置１の変形例を説明する。図７が、
本例に係る液晶装置１のブロック図である。尚、以下では、上述の液晶装置１と共通する
部分に共通の参照符号を付し、詳細な説明を省略する。
【００７４】
図７において、画像信号処理回路１７０は、記憶回路１７１、判定回路１７３、動き検
出回路１８３、及び補正回路１７４を備えている。
【００７５】
記憶回路１７１は、第１フレームメモリ１７１ａ及び第２フレームメモリ１７１ｂを備
えており、これらフレームメモリがフレーム画像及び一のフレームに相前後する他のフレ
ームで表示すべきフレーム画像の夫々の画像信号を記憶する。より具体的には、第１フレ
ームメモリ１７１ａ及び第２フレームメモリ１７１ｂは、例えば第ｎフレーム及び第（ｎ
＋１）フレームの夫々における画像信号を記憶している。
【００７６】
動き検出回路１８３は、一のフレーム及び他のフレームを含む一連のフレームによって
画像表示領域１０ａに表示される移動物体像Ｍの動きを、各フレームメモリに記憶された
画像信号に基づいて検出する。動き検出回路１８３は、既存の動き検出方法を用いてフレ
ーム画像内の移動物体像の動きを検出する。
【００７７】
画像信号処理回路１７０は、複数の画素部１０ｐのうち動き検出回路１８３によって移
動物体像Ｍの動きが検出された画素部１０ｐに暗い画像を表示させる。より具体的には、
連続するフレームの少なくとも一方のフレームにおいて、当該一方のフレームを構成する
サブフレームの一つに暗い画像を表示する。ここで、暗い画像を表示させる画素部１０ｐ
は、当該移動物体像Ｍのエッジに対応する画素部である。
【００７８】
本例に係る液晶装置１によれば、上述した比較手段を用いた場合と同様に、インパルス
表示モードと同様の画像表示が可能となり、動画ボケを低減できる。加えて、画像表示領
域１０ａの輝度の低下を抑制できる。
【００７９】
（電気光学装置の全体構成）
次に、図８及び図９を参照しながら、本実施形態に係る液晶装置１の全体構成を説明す
る。ここに、図８は、ＴＦＴアレイ基板をその上に形成された各構成要素と共に対向基板
の側から見た電気光学装置の平面図であり、図９は、図８のＨ−Ｈ´断面図である。ここ
では、電気光学装置の一例である駆動回路内蔵型のＴＦＴアクティブマトリクス駆動方式
の液晶装置を例に挙げる。
【００８０】
図８及び図９において、液晶装置１では、ＴＦＴアレイ基板１０と対向基板２０とが対
向配置されている。ＴＦＴアレイ基板１０と対向基板２０との間に液晶層５０が封入され
ており、ＴＦＴアレイ基板１０と対向基板２０とは、画像表示領域１０ａの周囲に位置す
るシール領域に設けられたシール材５２により相互に接着されている。
【００８１】
シール材５２は、両基板を貼り合わせるための、例えば紫外線硬化樹脂、熱硬化樹脂等
からなり、製造プロセスにおいてＴＦＴアレイ基板１０上に塗布された後、紫外線照射、
加熱等により硬化させられたものである。また、シール材５２中には、ＴＦＴアレイ基板
１０と対向基板２０との間隔（基板間ギャップ）を所定値とするためのグラスファイバ或
いはガラスビーズ等のギャップ材が散布されている。即ち、本実施形態の電気光学装置は
、プロジェクタのライトバルブ用として小型で拡大表示を行うのに適している。
【００８２】
シール材５２が配置されたシール領域の内側に並行して、画像表示領域１０ａの額縁領
域を規定する遮光性の額縁遮光膜５３が、対向基板２０側に設けられている。但し、この
ような額縁遮光膜５３の一部又は全部は、ＴＦＴアレイ基板１０側に内蔵遮光膜として設
けられてもよい。この額縁遮光膜５３より以遠の周辺領域のうち、シール材５２が配置さ
れたシール領域の外側に位置する領域には特に、データ線駆動回路１０１及び外部回路接
続端子１０２がＴＦＴアレイ基板１０の一辺に沿って設けられている。また、走査線駆動
回路１０４は、この一辺に隣接する２辺に沿い、且つ、前記額縁遮光膜５３に覆われるよ
うにして設けられている。更に、このように画像表示領域１０ａの両側に設けられた二つ
の走査線駆動回路１０４間をつなぐため、ＴＦＴアレイ基板１０の残る一辺に沿い、且つ
、前記額縁遮光膜５３に覆われるようにして複数の配線１０５が設けられている。
【００８３】
また、対向基板２０の４つのコーナー部には、両基板間の上下導通端子として機能する
上下導通材１０６が配置されている。他方、ＴＦＴアレイ基板１０にはこれらのコーナー
に対向する領域において上下導通端子が設けられている。これらにより、ＴＦＴアレイ基
板１０と対向基板２０との間で電気的な導通をとることができる。
【００８４】
図９において、ＴＦＴアレイ基板１０上には、画素スイッチング用のＴＦＴや走査線、
データ線等の配線が形成された後の画素電極９ａ上に、配向膜が形成されている。他方、
対向基板２０上には、対向電極２１の他、格子状又はストライプ状の遮光膜２３、更には
最上層部分に配向膜が形成されている。液晶層５０は、例えば一種又は数種類のネマティ
ック液晶を混合した液晶からなり、これら一対の配向膜間で、所定の配向状態をとる。
【００８５】
尚、図８及び図９に示したＴＦＴアレイ基板１０上には、これらのデータ線駆動回路１
０１、走査線駆動回路１０４等に加えて、画像信号線上の画像信号をサンプリングしてデ
ータ線に供給するサンプリング回路、複数のデータ線に所定電圧レベルのプリチャージ信
号を画像信号に先行して各々供給するプリチャージ回路、製造途中や出荷時の当該電気光
学装置の品質、欠陥等を検査するための検査回路等を形成してもよい。
【００８６】
（電子機器）
次に、上述した液晶装置１を電子機器に適用する場合について説明する。ここでは、液
晶装置１をライトバルブとして用いたプロジェクタについて説明する。図１０は、プロジ
ェクタの構成例を示す平面図である。
【００８７】
図１０に示すように、プロジェクタ１１００内部には、ハロゲンランプ等の白色光源か
らなるランプユニット１１０２が設けられている。このランプユニット１１０２から射出
された投射光は、ライトガイド内に配置された４枚のミラー１１０６および２枚のダイク
ロイックミラー１１０８によってＲＧＢの３原色に分離され、各原色に対応するライトバ
ルブとしての液晶装置１００Ｒ、１００Ｂおよび１００Ｇに入射される。液晶装置１００
Ｒ、１００Ｂおよび１００Ｇの構成は上述した液晶装置と同等であり、それぞれにおいて
画像信号処理回路から供給されるＲ、Ｇ、Ｂの原色信号が変調される。これらの液晶装置
によって変調された光は、ダイクロイックプリズム１１１２に３方向から入射される。ダ
イクロイックプリズム１１１２では、ＲおよびＢの光が９０度に屈折する一方、Ｇの光が
直進する。これにより各色の画像が合成され、投射レンズ１１１４を介して、スクリーン
１１２０等にカラー画像が投写される。
【００８８】
以上では、本発明の電気光学装置の一具体例として液晶装置を挙げて説明したが、本発
明の電気光学装置は、その他にも例えば電子ペーパなどの電気泳動装置や、電子放出素子
を用いた表示装置（Field Emission Display及びSurface-Conduction Electron-Emitter 
Display）等として実現することができる。また、このような本発明の電気光学装置は、
先に説明したプロジェクタの他にも、テレビジョン受像機や、ビューファインダ型或いは
モニタ直視型のビデオテープレコーダ、カーナビゲーション装置、ページャ、電子手手帳
、電卓、ワードプロセッサ、ワークステーション、テレビ電話、ＰＯＳ端末、タッチパネ
ルを備えた装置等の各種の電子機器に適用可能である。
【００８９】
本発明は、上述した実施形態に限られるものではなく、請求の範囲及び明細書全体から
読み取れる発明の要旨或いは思想に反しない範囲で適宜変更可能であり、そのような変更
を伴う電気光学装置、及び画像処理回路、並びにそのような電気光学装置を具備してなる
電子機器もまた本発明の技術的範囲に含まれるものである。
【図面の簡単な説明】
【００９０】
【図１】本発明に係る電気光学装置の一実施形態に係る液晶装置のブロック図である。
【図２】画像表示領域における複数の画素部における各種素子、配線等の等価回路である。
【図３】動画像を構成するフレーム画像及びサブフレーム画像の関係を示した概念図である。
【図４】画像表示領域の一部を構成する画素部における輝度を模式的に示した図である。
【図５】図４に対応する比較例を示した図である。
【図６】各サブフレームにおいて画素部に設定される輝度の組み合わせを示した図である。
【図７】本発明に係る電気光学装置の一実施形態に係る液晶装置の変形例のブロック図である。
【図８】本発明に係る電気光学装置の一実施形態に係る液晶装置の平面図である。
【図９】Ｈ−Ｈ´断面図である。
【図１０】本発明に係る電子機器の一実施形態に係る液晶プロジェクタの構成を表す断面図である。
【符号の説明】
【００９１】
１・・・液晶装置、１０ｃ・・・表示部、１７０・・・画像信号処理回路、１７１・・
・記憶回路、１７２・・・判定回路、１７３・・・比較回路、１７４・・・補正回路、１
８３・・・動き検出回路
【図１】
0004462234.tif 000002
【図２】
0004462234.tif 000003
【図３】
0004462234.tif 000004
【図４】
0004462234.tif 000005
【図５】
0004462234.tif 000006
【図６】
0004462234.tif 000007
【図７】
0004462234.tif 000008
【図８】
0004462234.tif 000009
【図９】
0004462234.tif 000010
【図１０】
0004462234.tif 000011